(57)【要約】      （修正有）【課題】腰掛や小物を置く台としての用途だけでなく、見る者を楽しませることのできる丸太椅子を提供する。【解決手段】一本の丸太材１０Ａ又は丸太形状材の木口を座面１０ａ又は載置面として使用する丸太椅子又は台若しくはテーブルであって、座面又は載置面の裏側に空洞部を形成し、側面に空洞部まで達する開口、切り込み１０ｃ又は隙間を形成し、空洞部にＬＥＤ電球を配置し、ＬＥＤ電球を点灯したとき、光が開口、切り込み又は隙間から外部へ漏れ出るようにした。暗闇の中に丸太椅子が浮かび上がり、見る者を楽しませることができる。ＬＥＤ電球の光は切り込みから漏れ出ることにより、木漏れ日のような光となるので、人の気持ちを和ませる癒し効果を奏することができる。また、夜間でも漏れ出る光で丸太椅子の設置位置を容易に視認できる。【選択図】図１
0003209636.tif 000002
【実用新案登録請求の範囲】
【請求項１】
一本の丸太材又は丸太形状材の木口を座面又は載置面として使用する丸太椅子又は台若しくはテーブルであって、
座面又は載置面の裏側に空洞部を形成し、
側面に空洞部まで達する開口、切り込み又は隙間を形成し、
空洞部にＬＥＤ電球を配置し、
ＬＥＤ電球を点灯したとき、光が開口、切り込み又は隙間から外部へ漏れ出るようにしたことを特徴とする丸太椅子又は台若しくはテーブル。
【請求項２】
複数本の丸太材若しくは丸太形状材を各木口が略面一となるように束ねて座面又は載置面を形成した丸太椅子又は台若しくはテーブルであって、
座面又は載置面の裏側に空洞部を形成し、
側面に空洞部まで達する開口、切り込み又は隙間を形成し、
空洞部にＬＥＤ電球を配置し、
ＬＥＤ電球を点灯したとき、光が開口、切り込み又は隙間から外部へ漏れ出るようにしたことを特徴とする丸太椅子又は台若しくはテーブル。
【請求項３】
前記丸太形状材が、プラスチック製、コンクリート製又は陶磁器製であることを特徴とする請求項１又は２に記載の丸太椅子又は台若しくはテーブル。
【請求項４】
前記開口として、焚口を形成したことを特徴とする請求項１に記載の丸太椅子又は台若しくはテーブル。
【請求項５】
前記ＬＥＤ電球を、椅子本体の周囲の明るさが所定の点灯照度より低くなると自動的に点灯し、所定の消灯照度より高くなると自動的に消灯する自動点滅装置を設けたことを特徴とする請求項１又は２に記載の丸太椅子又は台若しくはテーブル。
【請求項６】
前記ＬＥＤ電球の駆動用バッテリーを内蔵したことを特徴とする請求項１又は２に記載の丸太椅子又は台若しくはテーブル。
【請求項７】
透明又は半透明の防水カバーを前記ＬＥＤ電球灯に被せたことを特徴とする請求項１又は２に記載の丸太椅子又は台若しくはテーブル。
【請求項８】
前記ＬＥＤ電球が基板に縦及び／又は横方向に並べた複数個のＬＥＤチップと、各ＬＥＤチップを所定の順番で点滅制御する制御回路を備えたことを特徴とする請求項１又は２に記載の丸太椅子又は台若しくはテーブル。
【請求項９】
接地部にゴム又はプラスチック片を設けたことを特徴とする請求項１又は２に記載の丸太椅子又は台若しくはテーブル。
【請求項１０】
キャスターを取り付けたことを特徴とする請求項１又は２に記載の丸太椅子又は台若しくはテーブル。
【考案の詳細な説明】
【技術分野】
【０００１】
本考案は丸太椅子又は台若しくはテーブルに関する。
【背景技術】
【０００２】
杉や松を輪切りにした丸太の木口を座面とする丸太椅子や、表面に木目模様を形成したプラスチック製、コンクリート製あるいは陶磁器製の丸太形状材の木口を座面とする丸太椅子が一般家庭や公園の庭、遊歩道等に設置されている。
【先行技術文献】
【特許文献】
【０００３】
【特許文献１】引用なし
【考案の概要】
【考案が解決しようとする課題】
【０００４】
ところで、従来の丸太椅子は、専ら腰掛として、あるいは花瓶などの小物を置く台として庭や公園等に設置されるに過ぎず、用途が限られていた。
本考案はかかる点に鑑み、腰掛や小物を置く台としての用途だけでなく、見る者を楽しませることのできる丸太椅子又は台若しくはテーブルを提供することを目的とする。
【課題を解決するための手段】
【０００５】
本考案は、一本の丸太材又は丸太形状材の木口を座面又は載置面として使用する丸太椅子又は台若しくはテーブルであって、
座面又は載置面の裏側に空洞部を形成し、
側面に空洞部まで達する開口、切り込み又は隙間を形成し、
空洞部にＬＥＤ電球を配置し、
ＬＥＤ電球を点灯したとき、光が開口、切り込み又は隙間から外部へ漏れ出るようにしたことを特徴とする。
【０００６】
また、本考案は、複数本の丸太材若しくは丸太形状材を各木口が略面一となるように束ねて座面又は載置面を形成した丸太椅子又は台若しくはテーブルであって、
座面又は載置面の裏側に空洞部を形成し、
側面に空洞部まで達する開口、切り込み又は隙間を形成し、
空洞部にＬＥＤ電球を配置し、
ＬＥＤ電球を点灯したとき、光が開口、切り込み又は隙間から外部へ漏れ出るようにしたことを特徴とする。
【０００７】
前記丸太形状材として、プラスチック製、コンクリート製又は陶磁器製を用いることができる。前記開口として、焚口を形成してもよい。
【０００８】
好ましくは、前記ＬＥＤ電球を、椅子本体の周囲の明るさが所定の点灯照度より低くなると自動的に点灯し、所定の消灯照度より高くなると自動的に消灯する自動点滅装置を設ける。また、前記ＬＥＤ電球の駆動用バッテリーを内蔵する。透明又は半透明の防水カバーを前記ＬＥＤ電球灯に被せると良い。
【０００９】
また、好ましくは、前記ＬＥＤ電球が基板に縦及び／又は横方向に並べた複数個のＬＥＤチップと、各ＬＥＤチップを所定の順番で点滅制御する制御回路を備えるとよい。
【００１０】
接地部にゴム又はプラスチック片を設け、あるいはキャスターを取り付けてもよい。
【考案の効果】
【００１１】
本考案によれば、丸太椅子又は台若しくはテーブルを庭や遊歩道に設置して、内蔵したＬＥＤ電球を夕暮れや夜間に点灯すると、丸太椅子又は台若しくはテーブルの側面に形成した開口、切り込み又は隙間からＬＥＤ電球の光が漏れ出るので、暗闇の中に丸太椅子又は台若しくはテーブルが浮かび上がり、見る者を楽しませることができる。
とりわけ、ＬＥＤ電球の光は切り込みや隙間から漏れ出ることにより、人への直射光とはならず、柔らかな木漏れ日のような光となるので、人の気持ちを和ませる癒し効果を奏することができる。また、夜間でもＬＥＤ電球の漏れ出る光で丸太椅子又は台若しくはテーブルの設置位置を容易に視認できる。
【図面の簡単な説明】
【００１２】
【図１】本考案の第１実施例に係る丸太椅子を示す斜視図である。
【図２】図１の２−２線から切断した端面図である。
【図３】本考案の第１実施例に係る丸太椅子のＬＥＤ電球を示す説明図である。
【図４】本考案の第１実施例に係る丸太椅子の改変例である。
【図５】本考案の第１実施例に係る丸太椅子の他の改変例である。
【図６】本考案の第１実施例に係る丸太椅子の他の改変例である。
【図７】本考案の第１実施例に係る丸太椅子の他の改変例である。
【図８】本考案の第１実施例に係る丸太椅子の他の改変例である。
【図９】本考案の第２実施例に係る丸太椅子を示す斜視図である。
【図１０】本考案の第３実施例に係る丸太椅子を示す斜視図である。
【図１１】本考案の第４実施例に係る丸太椅子を示す斜視図である。
【図１２】本考案の第５実施例に係る丸太椅子を示す斜視図である。
【図１３】図１２の１３−１３線から切断した端面図である。
【図１４】本考案の第６実施例に係る丸太椅子を示す斜視図である。
【図１５】本考案の第７実施例に係る丸太椅子を示す斜視図である。
【実施例１】
【００１３】
以下に本考案を図面に基づき説明する。図１及び図２には、本考案の第１実施例に係る丸太椅子１０が示されている。当該丸太椅子１０は、松や杉等の自然木を輪切りに加工した一本の丸太材１０Ａで構成され、丸太材１０Ａの木口が座面１０ａに形成されている。この丸太椅子１０は、内部をくり抜いて座面１０ａの裏側に空洞部１０ｂが形成されている。丸太椅子１０の側面の複数個所には、座面１０ａから下端部まで延びる切り込み１０ｃが形成されている。各切り込み１０ｃは、丸太椅子１０の側面から空洞部１０ｂに達する深さで形成されている。丸太椅子１０の下端部には、下端部が直接地面に接触しないようにゴム片１０ｄが取り付けられている。
【００１４】
丸太椅子１０の座面１０ａの裏側にはソケット１１が固定され、ソケット１１にＬＥＤ電球１２が着脱可能に装着されて、空洞部１０ｂに垂下している。ソケット１１からは電源コード１３が延びて、切り込み１０ｃから椅子本体１０の外部へ引き出されている。
【００１５】
ＬＥＤ電球は図３に示すように、ソケット１１に着脱される口金１２ａと、筒状の基板１２ｂと、基板１２ｂに縦及び横方向に等間隔で並べた多数のＬＥＤチップ１２ｃと、基板１２ｂを覆う半透明のグローブ１２ｄ及び多数のＬＥＤチップ１２ｃを所定の順番で点滅制御する制御回路１２ｅを備えている。
【００１６】
本実施例に係る丸太椅子１０の構造は以上の通りであって、丸太椅子１０を庭に設置し、電源コード１３を電源コンセントに接続して、内蔵したＬＥＤ電球１２を夕暮れや夜間に点灯すると、側面に形成した切り込み１０ｃや下端部と地面との隙間からＬＥＤ電球１２の光が漏れ出るので、暗闇の中に丸太椅子１０が浮かび上がり、見る者を楽しませることができる。ＬＥＤ電球１２の光は、切り込み１０ｃから漏れ出ることにより、人への直射光とはならず、柔らかな木漏れ日のような光となるので、人の気持ちを和ませる癒し効果を奏することができる。また、夜間でもＬＥＤ電球１２の漏れ出る光で丸太椅子１０の設置位置を容易に視認できる。
【００１７】
この丸太椅子１０に、図４に示すように背もたれ１４を取り付ければ、使い勝手が良くなる。
また、図５に示すように、座面１０ａの裏側にＬＥＤ電球１２を覆う透明又は半透明の防水カバー１５を取り付ければ、切り込み１０ｃから雨水が丸太椅子１０の内部に侵入しても、雨水でＬＥＤ電球１２が故障するのを防止できる。
【００１８】
図６に示すように、椅子本体１０の空洞部１０ｂの内周面に釘１６で固定したフレーム１７にソケット１１を取り付け、このソケット１１にＬＥＤ電球１２を装着し、ＬＥＤ電球１２に防水カバー１５を被せてもよい。
【００１９】
図７に示すように、椅子本体１０の空洞部１０ｂの下端開口を塞ぐ蓋１８を設け、蓋１８の上面にソケット１１を固定してＬＥＤ電球１２を装着し、ＬＥＤ電球１２に防水カバー１５を被せてもよい。
【００２０】
また、図８に示すように、ＬＥＤ電球１２の駆動用バッテリー１９を空洞部１０ｂに内蔵し、側面にＬＥＤ電球１２を、椅子本体の周囲の明るさが所定の点灯照度より低くなると自動的に点灯し、所定の消灯照度より高くなると自動的に消灯する自動点滅装置２０を設けることもできる。
かかる構成を採用することによって電源コンセントのない野外でも内蔵のバッテリー１９でＬＥＤ電球１２を点灯させることができる。また、自動点滅装置２０を設けることにより、ＬＥＤ電球１２が、椅子本体１０の周囲が暗くなると自動的に点灯し、明るくなると消灯するように構成できる。
さらにまた、ゴム片１０ｄに代えてキャスター２１を取り付ければ、野外での丸太椅子１０の移動が容易になる。
【実施例２】
【００２１】
本考案の第２実施例に係る丸太椅子３０を図９に示す。丸太椅子３０の側面には、門型の焚口１０ｅが形成され、薪３１が焚口１０ｅから空洞部１０ｂへ挿入されている。この薪３１はビス３２で焚口１０ｅに固定されている。
なお、この丸太椅子３０では、ゴム片１０ｄが取り付けられていないので、下端部が接地している。
第２実施例に係る丸太椅子３０の他の構成は、図１〜図３に示した第１実施例に係る丸太椅子１０と同じであるので、同一の構成要素に同一の符号を付して説明を省略する。
【００２２】
第２実施例に係る丸太椅子３０では、ＬＥＤ電球１２が例えば、ＬＥＤチップ１２ｃの横列が上段側から順番に下段へと点滅するように、あるいは、その逆に下段から上段へと点滅するように制御回路１２ｅでＬＥＤチップ１２ｃが制御される。また、ＬＥＤチップ１２ｃの縦列が右側から順番に左側下段へと点滅するように、あるいは、その逆に左側から右側へと点滅するように制御回路１２ｅでＬＥＤチップ１２ｃが制御される。さらにまた、所定領域のＬＥＤチップ群が点滅した後、これとは異なる領域のＬＥＤチップ群が点滅するように制御回路１２ｅでＬＥＤチップ１２ｃが制御される。かかる制御により、半透明のグローブ１２ｄを通過し、切り込み１０ｃや焚口１０ｅから丸太椅子３０の外部に漏れ出るＬＥＤ電球１２の光は、あたかも炎が揺らいで薪３１が中で燃えているように見える。
【実施例３】
【００２３】
本考案の第３実施例に係る丸太椅子４０を図１０に示す。丸太椅子４０の側面には、略円形の開口１０ｆが形成され、ＬＥＤ電球１２を点灯したとき、切り込み１０ｃからだけでなく、開口１０ｆからも光が丸太椅子４０の外部へ漏れ出るように構成されている。
なお、第３実施例に係る丸太椅子４０の他の構成は、図１〜図３に示した第１実施例に係る丸太椅子１０と同じであるので、同一の構成要素に同一の符号を付して説明を省略する。
【実施例４】
【００２４】
本考案の第４実施例に係る丸太椅子５０を図１１に示す。この丸太椅子５０は、丸太椅子１０を横に４個並べ、３本の細い半割丸太５１を側面に釘で打ち付けて４個の丸太椅子１０を連結し、３本の半割丸太５１のうち最上段の１本を座面１０ａから上方へ突出させて背もたれ５１にしている。
なお、第４実施例に係る丸太椅子５０の他の構成は図１〜図３に示した第１実施例に係る丸太椅子１０と同じであるので、同一の構成要素に同一の符号を付して説明を省略する。
本実施例に係る丸太椅子５０は丸太椅子１０を連結して背もたれとなる半割丸太５１を設けたので、複数人で着座できるベンチとして使用できる。
【実施例５】
【００２５】
図１２及び図１３に本考案の第５実施例に係る丸太椅子６０を示す。第１実施例〜第４実施例に係る丸太椅子１０，３０，４０，５０は、太い１本の丸太材１０Ａを用いて構成したが、丸太椅子６０は７本の細い丸太材６０Ａを用い、各丸太材６０Ａの木口が略面一となるように７本の丸太材６０Ａを束ねて座面６０ａを形成している。７本の丸太材６０Ａは、図示略の釘、ボルト等の締結手段で一体となるように連結されている。７本の丸太材６０Ａのうち、木口が座面６０ａの中央部を形成する丸太材６０Ａには、短尺の丸太材６０Ａを用いることにより、座面６０ａの裏側に空洞部６０ｂが形成され、空洞部６０ｂにＬＥＤ電球１２が取り付けられている。束ねた丸太材６０Ａと丸太材６０Ａの間には隙間６０ｃが形成され、ＬＥＤ電球１２を点灯するとこの隙間６０ｃから光が漏れ出る。
【実施例６】
【００２６】
本考案の第６実施例に係る丸太椅子を図１４に示す。この丸太椅子７０は太い丸太材を輪切りにした円板７１で座面７０ａを構成し、円板７１の裏面に複数本の細い丸太材７０Ａを垂設して内部に空洞を形成し、空洞部にＬＥＤ電球を取り付けている。ＬＥＤ電球を点灯すると細い丸太材７０Ａの間の隙間７０ｃから光が漏れ出る。
【実施例７】
【００２７】
本考案の第７実施例に係る丸太椅子８０を図１５に示す。この丸太椅子８０は太い丸太材を輪切りにした円板８１の外周部から複数本の細い半割丸太材８０Ａを垂設して、円板８１と細い半割丸太材８０Ａの木口で座面８０ａを形成するとともに、内部に空洞部を形成し、空洞部にＬＥＤ電球を取り付けている。ＬＥＤ電球を点灯すると細い半割丸太材８０Ａの間の隙間８０ｃから光が漏れ出る。
【００２８】
上述した第１〜第７実施例に係る丸太椅子１０，３０，４０，５０，６０，７０，８０は、松や杉の自然木を輪切りに加工した丸太材１０Ａ，６０Ａ，７０Ａ，７１，８０Ａ，８１で構成したが、自然木の丸太材１０Ａ，６０Ａ，７０Ａ，７１，８０Ａ，８１に代えて、木目模様や杉皮模様等を表面に形成したプラスチック製、コンクリート製又は陶磁器製の丸太形状材を用いてもよい。
また、上述した第１〜第７実施例に係る丸太椅子１０，３０，４０，５０，６０，７０，８０の座面１０ａ，６０ａ，７０ａ，８０ａを花瓶や鉢植え、コーヒーカップ、グラス、料理皿等の小物を置く載置面とすることで台やテーブルとして使用することも可能である。
【符号の説明】
【００２９】
１０，３０，４０，５０，６０，７０，８０…丸太椅子
１０Ａ，６０Ａ，７０Ａ…丸太材
１０ａ，６０ａ，７０ａ，８０ａ…座面
１０ｂ，６０ｂ…空洞部
１０ｃ…切り込み
１０ｄ…ゴム片
１０ｅ…焚口
１０ｆ…開口
１１…ソケット
１２…ＬＥＤ電球
１２ｂ…基板
１２ｃ…ＬＥＤチップ
１２ｄ…グローブ
１２ｅ…制御回路
１３…電源コード
１４…背もたれ
１５…防水カバー
１９…電源バッテリー
２０…自動点滅装置
２１…キャスター
５１…背もたれ（半割丸太）
６０ｃ，７０ｃ，８０ｃ…隙間
８０Ａ…半割丸太材
【図１】
0003209636.tif 000003
【図２】
0003209636.tif 000004
【図３】
0003209636.tif 000005
【図４】
0003209636.tif 000006
【図５】
0003209636.tif 000007
【図６】
0003209636.tif 000008
【図７】
0003209636.tif 000009
【図８】
0003209636.tif 000010
【図９】
0003209636.tif 000011
【図１０】
0003209636.tif 000012
【図１１】
0003209636.tif 000013
【図１２】
0003209636.tif 000014
【図１３】
0003209636.tif 000015
【図１４】
0003209636.tif 000016
【図１５】
0003209636.tif 000017